(57)【要約】  【課題】  駆動が長期に及んだ場合にも、黒ノイズや画面のちらつきの発生を抑制し、また、ホワイトバランスを維持することで、高い画質性能を持続することができるプラズマディスプレイパネルおよびこれを備える表示装置を提供する。  【解決手段】  ＰＤＰ１０では、隣り合う主隔壁１２４ａ間で構成される列毎に同じ色の蛍光体層１２５Ｒ、１２５Ｇ、１２５Ｂが形成されている。そして、各放電セルにおいて、表示電極対１１２のＳｃｎ電極１１２ｂとＤａｔ電極１２２とを最短経路をもって結ぶとき、各々の放電セルにおける最短経路上での下地誘電体層１２３の表面から各蛍光体層１２５の表面までの距離は、Ｒ放電セルでｄR2、Ｇ放電セルでｄG2、Ｂ放電セルでｄB2に設定されている。そして、各々の距離は、ｄR2＜ｄB2＜ｄG2の関係を満足するように設定されている。  【選択図】  図３
2006114367.tif 000002
【特許請求の範囲】
【請求項１】
密閉容器を有し、当該密閉容器において、その内方の放電空間に放電ガスが充填されるとともに、前記放電空間を挟んだ一方の構成部分に複数の第１電極が形成され、他方の構成部分に前記第１電極と交差する方向に複数の第２電極が形成され、当該他方の構成部分における前記第２電極の上の前記放電空間を臨む各箇所に蛍光体層が形成されており、前記第１電極と第２電極とが立体交差する各領域に対応して放電セルが配された構成を有するプラズマディスプレイパネルであって、
前記各放電セルにおいて、前記第１電極と第２電極とを最短の距離で結び、当該最短経路上での前記蛍光体層表面から第１電極までの距離を第１距離、前記第２電極から蛍光体層表面までの距離を第２距離とするとき、
一部の放電セルにおいては、前記第１電極と第２電極との間の静電容量が他の放電セルと同一または略同一になるように、当該放電セルの前記第１距離および第２距離の少なくとも一方の距離が他の放電セルと異なるよう設定がなされている
ことを特徴とするプラズマディスプレイパネル。
【請求項２】
前記最短経路上における前記第１電極から第２電極までの間の距離を第３距離とするとき、当該第３距離は、全ての放電セルで略同一であり、
前記放電セルは、前記蛍光体層の色に応じて、赤色、緑色、青色の３つの放電セル群に群分けされており、
前記蛍光体層を構成する蛍光体は、その色毎に互いに異なる比誘電率を有し、
前記一部の放電セルは、前記３つの放電セル群の中の少なくとも１つの放電セル群に該当し、当該該当する放電セル群の前記第２距離は、その蛍光体層を構成する蛍光体の前記比誘電率に基づき、他の放電セル群と異なるよう設定されている
ことを特徴とする請求項１に記載のプラズマディスプレイパネル。
【請求項３】
前記第２距離は、前記３つの放電セル群の内、比誘電率が最も小さい蛍光体を有する放電セル群が他の放電セル群に比べて長く設定されている
ことを特徴とする請求項２に記載のプラズマディスプレイパネル。
【請求項４】
前記各蛍光体のそれぞれが有する比誘電率の中で、最大の比誘電率をεmax.、最小の比誘電率をεmin.と表すとき、
前記εmin.の蛍光体を有する前記放電セル群における前記第２距離は、前記εmax.の蛍光体を有する前記放電セル群に比べて、略（εmax.／εmin.）倍の長さに設定されている
ことを特徴とする請求項３に記載のプラズマディスプレイパネル。
【請求項５】
前記第２距離は、緑色の放電セル群が最も長く設定されており、且つ、赤色の放電セル群が最も短く設定されている
ことを特徴とする請求項３または４に記載のプラズマディスプレイパネル。
【請求項６】
前記第２距離が前記３つの放電セル群で等しいと仮定し、このときにおける前記３つの放電セル群の間における前記第１電極と第２電極との間の静電容量のバラツキをｄC0とするとき、
前記各放電セル群における前記第２距離は、前記３つの放電セル群の間での前記静電容量のバラツキｄCが前記ｄC0よりも小さくなるように設定されている
ことを特徴とする請求項２に記載のプラズマディスプレイパネル。
【請求項７】
前記３つの放電セル群の各々における前記第２距離は、前記３つの放電セル群の間での前記静電容量のバラツキが１０％以内になるように設定されてる
ことを特徴とする請求項６に記載のプラズマディスプレイパネル。
【請求項８】
前記第２距離が前記３つの放電セル群で等しいと仮定し、このときにおける前記３つの放電セル群の間における前記第１電極と第２電極との間の前記放電空間の最大電界強度のバラツキをｄef0とするとき、
前記各放電セル群における前記第２距離は、前記３つの放電セル群の間での前記最大電界強度のバラツキｄefが前記ｄef0よりも小さくなるように設定されている
ことを特徴とする請求項２に記載のプラズマディスプレイパネル。
【請求項９】
前記３つの放電セル群の各々における前記第２距離は、前記３つの放電セル群の間での前記最大電界強度のバラツキが１０％以内になるように設定されている
ことを特徴とする請求項８に記載のプラズマディスプレイパネル。
【請求項１０】
前記密閉容器は、前記放電空間を間に挟んで対向配置され、互いの外周縁が封着されてなる前面パネルおよび背面パネルから構成されており、
前記背面パネルは、背面基板の一方の主面上に前記複数の前記第２電極がストライプ状に配設され、当該第２電極が形成された前記主面を覆うように誘電体層が形成されるとともに、前記誘電体層の表面上であって隣り合う前記第２電極間に隔壁が立設され、当該隔壁および誘電体層で形成される各凹部分の内壁部分に前記蛍光体層が形成されることで構成されている
ことを特徴とする請求項１から９の何れかに記載のプラズマディスプレイパネル。
【請求項１１】
前記第２距離の設定は、前記最短経路上における前記蛍光体層の厚みをもってなされている
ことを特徴とする請求項１０に記載のプラズマディスプレイパネル。
【請求項１２】
前記誘電体層と蛍光体層との間には、第２誘電体層が形成されており、
前記第２距離の設定は、前記最短経路上における前記第２誘電体層の厚みをもってなされている
ことを特徴とする請求項１０に記載のプラズマディスプレイパネル。
【請求項１３】
前記第２誘電体層には、酸化チタン、酸化バリウム、酸化鉛、酸化アルミニウム、酸化マグネシウムで構成される群の中から選択された少なくとも１種が添加されている
ことを特徴とする請求項１２に記載のプラズマディスプレイパネル。
【請求項１４】
前記背面パネルには、前記誘電体層の面上における前記第２電極の配設方向とは交差する方向に脈状に伸び、互いに間隙をあけた状態で１つの放電セルに対して１対の第２隔壁が形成されており、当該１対の第２隔壁間の誘電体層が前記放電空間を臨む状態となっており、
前記誘電体層の内方であって前記１対の第２隔壁間に相当する部分には、前記第２隔壁に沿った方向に第３電極が形成されており、
前記第２電極と第３電極とは、立体交差する配置関係を有しており、
前記１対の第２隔壁は、その頂部が前記前面パネルとの間に間隙を有するよう設定されている
ことを特徴とする請求項１０から１３の何れかに記載のプラズマディスプレイパネル。
【請求項１５】
前記放電空間に充填された放電ガスには、キセノンが含まれており、
前記キセノンの分圧は、１０％以上に設定されている
ことを特徴とする請求項１から１４の何れかに記載のプラズマディスプレイパネル。
【請求項１６】
前記一方の構成部分であって、隣り合う前記放電セルと放電セルとの境界部分には、前記第１電極に沿った方向にブラックストライプが形成されている
ことを特徴とする請求項１から１５の何れかに記載のプラズマディスプレイパネル。
【請求項１７】
請求項１から１６の何れかに記載のプラズマディスプレイパネルと、前記第1電極および第２電極の各々に対して電圧を印加することで前記プラズマディスプレイパネルを表示駆動する駆動部とを備えることを特徴とする表示装置。
【発明の詳細な説明】
【技術分野】
【０００１】
本発明は、プラズマディスプレイパネルおよびこれを備える表示装置に関する。
【背景技術】
【０００２】
現在、普及が進む交流面放電型のプラズマディスプレイパネル（以下、「ＰＤＰ」という。）は、例えば、前面パネルと背面パネルとが、間に隔壁を介した状態で対峙して配置され、２枚のパネルにおける互いの外周部どうしがフリットガラスなどによって封止された密閉容器構造を有している。両パネル間に形成され、隔壁によって仕切られた放電空間には、Ｎｅ−Ｘｅ系やＨｅ−Ｘｅ系などの放電ガスが、例えば、５３．２〜７９．８（ｋＰａ）の内圧で封入されている。また、放電ガスにおけるＸｅ分圧は、７（％）未満とされるのが一般的であるが、近年、パネルの輝度向上等を図る目的から、７（％）以上、さらには１０（％）以上とする研究開発も進められている。
【０００３】
ＰＤＰを構成する２枚のパネルの内、背面パネルは、背面基板をベースとし、この一方の主表面に、データ電極（以下では、「Ｄａｔ電極」と記載する。）、誘電体層が順に形成され、誘電体層の表面上であって隣り合うＤａｔ電極間にこれに沿った方向で隔壁が形成された構成を有する。また、背面パネルには、誘電体層と隣り合う一対の隔壁とで構成される凹部の内壁部分に、赤（Ｒ）、緑（Ｇ）、青（Ｂ）の各蛍光体層が凹部毎に形成されている。
【０００４】
そして、ＰＤＰにおいては、前面パネルの表示電極対および背面パネルのＤａｔ電極に対して電圧を印加することによって、放電空間内で放電を生じさせ、これに伴って放電ガス中のＸｅから放出される紫外線を背面パネルの蛍光体層の蛍光体を励起することで可視光に変換して発光させ、映像の表示を行う。
このような構造のＰＤＰにおいては、映像表示のために一般的にフィールド内時分割階調表示方式が採用されており、初期化、書き込み、維持の各期間から構成される１フィールド（１６．６ｍｓｅｃ．）を表示時間単位としている。
【０００５】
ところで、従来のＰＤＰでは、発光させようとする放電セルにおいて、維持期間に維持放電が生じず、パネル全体として、黒ノイズや画面のちらつきなどが発生することがある。これは、パネルに複数構成された放電セルの間で、書き込み期間における表示データの書き込みに必要となる電圧値にバラツキが生じるためであり、これを防止するためにＰＤＰを駆動させる駆動回路側で、高めの書き込み電圧の設定がなされている。
【０００６】
また、従来においても、上記黒ノイズや画面のちらつきの発生を抑制するために、種々の側面からアプローチがなされている（例えば、特許文献１、特許文献２を参照）。
【特許文献１】特開２００３−２３４０７０号公報
【特許文献２】特開２００１−１０７０４３号公報
【発明の開示】
【発明が解決しようとする課題】
【０００７】
しかしながら、上記特許文献１、２を含む従来の技術をもって形成されたＰＤＰにおいては、駆動が長期に及んだ場合の黒ノイズや画面のちらつきの発生が顕著になるという問題を解決し得なかった。即ち、ＰＤＰの駆動初期においては、上述のように書き込み電圧等の設定によって、黒ノイズや画面のちらつき等の発生が抑制されているものの、ＰＤＰの駆動が長期に及んだ場合には、上記電圧設定などでは抑制しきれない程度まで放電セルが有する特性が変化し、これによって黒ノイズや画面のちらつきが発生するに至る。
【０００８】
特に、本発明者らの研究によると、駆動が長期に及んだ場合の黒ノイズや画面のちらつきの発生は、形成されている蛍光体層の色毎に異なる傾向を示す。具体的には、緑色あるいは青色蛍光体層が形成された放電セルでは、赤色蛍光体層が形成された放電セルよりも、駆動が長期に及んだ場合の黒ノイズや画面のちらつきなどの発生が顕著となる。このように、１画素を形成するＲ、Ｇ、Ｂの３色の放電セルの内の１つでも確実な点灯ができない状態となった場合には、その画素のホワイトバランスも低下することになる。
【０００９】
本発明は、上記課題を解決しようとなされたものであって、駆動が長期に及んだ場合にも、黒ノイズや画面のちらつきの発生を抑制し、高い画質性能が維持できるプラズマディスプレイパネルおよびこれを備える表示装置を提供することを目的とする。
【課題を解決するための手段】
【００１０】
そこで、本発明は、上記目的を達成するために、以下の特徴を有することとした。
（１）  本発明に係るＰＤＰは、密閉容器を有し、当該密閉容器において、その内方の放電空間に放電ガスが充填されるとともに、放電空間を挟んだ一方の構成部分に複数の第１電極が形成され、他方の構成部分に第１電極と交差する方向に複数の第２電極が形成され、当該他方の構成部分における第２電極の上の放電空間を臨む各箇所に蛍光体層が形成されており、第１電極と第２電極とが立体交差する各領域に対応して放電セルが配された構成を有するＰＤＰであって、各放電セルにおいて、第１電極と第２電極とを最短の距離で結び、当該最短経路上での蛍光体層表面から第１電極までの距離を第１距離、前記第２電極から蛍光体層表面までの距離を第２距離とするとき、一部の放電セルにおいては、第１電極と第２電極との間の静電容量が他の放電セルと同一または略同一になるように、当該放電セルの第１距離および第２距離の少なくとも一方の距離が他の放電セルと異なるよう設定されていることを特徴とする。
（２）  上記（１）に係るＰＤＰであって、上記最短経路上における第１電極から第２電極までの間の距離を第３距離とするとき、当該第３距離は、全ての放電セルで略同一であり、放電セルは、蛍光体層の色に応じて赤色、緑色、青色の３つの放電セル群に群分けされており、蛍光体層を構成する蛍光体は、その色毎に互いに異なる比誘電率を有し、一部の放電セルは、群分けされた３つ放電セル群の中の少なくとも１つの放電セル群に該当し、当該該当する放電セル群の第２距離は、その蛍光体層を構成する蛍光体の比誘電率に基づき、他の放電セル群と異なるよう設定されていることを特徴とする。
（３）  上記（２）に係るＰＤＰであって、上記第２距離は、３つの放電セル群の内、比誘電率が最も小さい蛍光体を有する放電セル群が他の放電セル群に比べて長く設定されていることを特徴とする。
（４）  上記（３）に係るＰＤＰであって、各蛍光体のそれぞれが有する比誘電率の中で、最大の比誘電率をεmax.、最小の比誘電率をεmin.と表すとき、εmin.の蛍光体を有する放電セル群における上記第２距離は、εmax.の蛍光体を有する放電セル群に比べて、略（εmax.／εmin.）倍の長さに設定されていることを特徴とする。
（５）  上記（３）または（４）に係るＰＤＰであって、上記第２距離は、緑色の放電セル群が最も長く設定されており、且つ、赤色の放電セル群が最も短く設定されていることを特徴とする。
（６）  上記（２）に係るＰＤＰであって、第２距離が３つの放電セル群で等しいと仮定し、このときにおける３つの放電セル群の間における第１電極と第２電極との間の静電容量のバラツキをｄC0とするとき、放電各セル群における上記第２距離は、３つの放電セル群の間での静電容量のバラツキｄCがｄC0よりも小さくなるように設定されていることを特徴とする。
（７）  上記（６）に係るＰＤＰであって、３つの放電セル群の各々における第２距離は、３つの放電セル群の間での静電容量のバラツキが１０％以内になるように設定されてることを特徴とする。
（８）  上記（２）に係るＰＤＰであって、第２距離が３つの放電セル群で等しいと仮定し、このちきにおける３つの放電セル群の間における第１電極と第２電極との間の放電空間における最大電界強度のバラツキをｄef0とするとき、各放電セル群における上記第２距離は、３つの放電セル群の間での最大電界強度のバラツキｄefがｄef0よりも小さくなるように設定されていることを特徴とする。
（９）  上記（８）に係るＰＤＰであって、３つの放電セル群の各々における上記第２距離は、３つの放電セル群の間での最大電界強度のバラツキが１０％以内になるように設定されていることを特徴とする。
（１０）  上記（１）〜（９）の何れかに係るＰＤＰであって、当該ＰＤＰを構成する具体的な密閉容器の一例としては、放電空間を間に挟んで対向配置され、互いの外周縁が封着されてなる前面パネルおよび背面パネルから構成された構成のものがあげられ、この内、背面パネルは、背面基板の一方の主面上に複数の第２電極がストライプ状に配設され、当該第２電極が形成された主面を覆うように誘電体層が形成されるとともに、誘電体層の表面上であって隣り合う第２電極間に前面パネルの側に向けて隔壁が立設され、当該隔壁および誘電体層で形成される各凹部分の内壁部分に蛍光体層が形成されることで構成されていることを特徴とする。
（１１）  上記（１０）に係るＰＤＰであって、上記第２距離の設定は、当該最短経路上における蛍光体層の厚みをもってなされていることを特徴とする。
（１２）  上記（１０）に係るＰＤＰであって、誘電体層と蛍光体層との間には、第２誘電体層が形成されており、上記第２距離の設定は、最短経路上における第２誘電体層の厚みをもってなされていることを特徴とする。
（１３）  上記（１２）に係るＰＤＰであって、第２誘電体層には、酸化チタン（ＴｉＯ2）、酸化バリウム（ＢａＯ）、酸化鉛（ＰｂＯ）、酸化アルミニウム（Ａｌ2Ｏ3）、酸化マグネシウム（ＭｇＯ）で構成される群の中から選択された少なくとも１種が添加されていることを特徴とする。
（１４）  上記（１０）〜（１３）の何れかに係るＰＤＰであって、背面パネルには、誘電体層の面上における第２電極の配設方向とは交差する方向に脈状に伸び、互いに間隙をあけた状態で、１つの放電セルに対して１対の第２隔壁が形成されており、当該１対の第２隔壁間の誘電体層が放電空間を臨む状態となっており、誘電体層の内方であって１対の第２隔壁間に相当する部分には、第２隔壁に沿った方向に第３電極が形成されており、第２電極と第３電極とは、立体交差する配置関係を有しており、１対の第２隔壁は、その頂部が前面パネルとの間に間隙を有するよう設定されいることを特徴とする。
（１５）  上記（１）〜（１４）の何れかに係るＰＤＰであって、放電空間に充填された放電ガスには、キセノンが含まれており、キセノンの分圧が１０％以上に設定されていることを特徴とする。
（１６）  上記（１）〜（１５）の何れかに係るＰＤＰであって、密閉容器における第１電極が形成された側の一方の構成部分であって、隣り合う放電セルと放電セルとの境界部分には、第１電極に沿った方向にブラックストライプが形成されていることを特徴とする。
（１７）  本発明に係る表示装置は、パネル部としての上記（１）〜（１６）の何れかに係る構成のＰＤＰと、第１および第２の各電極に対して電圧を印加することでＰＤＰを表示駆動する駆動部とを備えることを特徴とする。
【発明の効果】
【００１１】
上記本発明に係るＰＤＰでは、一部の放電セルにおける第１距離および第２距離の少なくとも一方の距離を、これを除く他の放電セルと異なるように設定し、これによって一部の放電セルにおける電極間容量（例えば、Ｓｃｎ電極とＤａｔ電極との間の静電容量。以下では、「セル容量」と記載する。）をその他の放電セルにおけるセル容量と同一または略同一にすることが可能となる。具体的には、例えば、一部の放電セルとその他の放電セルとの間で、上記第１距離および第２距離がともに同一に設定し、一部の放電セルにおけるセル容量がその他の放電セルに比べて小さくなる場合を仮定する。このような場合には、一部の放電セルにおける第１距離をその他の放電セルよりも小さくすることによって、当該一部の放電セルにおけるセル容量を大きくして、パネル全体での放電セルのセル容量の均一化を図ることができる。また、逆に一部の放電セルにおける第２距離を大きくすることでも、当該一部の放電セルにおけるセル容量を大きくして、パネル全体での放電セルのセル容量の均一化を図ることができる。
【００１２】
一部の放電セルにおけるセル容量が他の放電セルと異なってしまう原因としては、例えば、蛍光体層を構成する蛍光体の違い、あるいは、ＰＤＰの製造時等における領域での寸法・構成バラツキ等が考えられる。
このように、本発明に係るＰＤＰでは、パネルの面内において、蛍光体の種類の違いを始めとする放電セルの構成が面内でバラツキを有している場合にあっても、上記第１距離および第２距離の少なくとも一方の距離を操作することでセル容量のバラツキを低減することが可能となる。
【００１３】
従って、本発明に係るＰＤＰでは、駆動が長期に及んだ場合にも、黒ノイズや画面のちらつきの発生を抑制できるので、高い画質性能を維持できる。
また、本発明者らは、駆動が長期に及んだ場合の黒ノイズや画面のちらつき等が、赤色（Ｒ）、緑色（Ｇ）、青色（Ｂ）の各蛍光体層によって特にその発生の頻度に差異があることを究明した。即ち、パネルに形成された複数の放電セルは、蛍光体層の色毎に３つのセル群（Ｒセル群、Ｇセル群、Ｂセル群）に分けられ、各蛍光体層を構成する蛍光体が有する比誘電率によって駆動が長期に及んだ場合における黒ノイズや画面のちらつきの発生頻度に差異が生じる。
【００１４】
そこで、上記（２）のように、本発明に係るＰＤＰでは、第３距離（Ｓｃｎ電極からＤａｔ電極までの間の直線距離）が全ての放電セルで同一または略同一とする場合に、各蛍光体の比誘電率に基づいて第２距離を設定しておくことが望ましい。ここで、第３距離が全ての放電セルで同一又は略同一としていることから、第１距離についても、第２距離の設定に応じて変化することになる。具体的には、上記（４）のように、各蛍光体が有する比誘電率の内、最大の比誘電率をεmax.、最小の比誘電率をεmin.と表すとき、εmin.の蛍光体からなる領域を有するセル群における第２距離を、εmax.の蛍光体からなる領域を有するセル群に比べて、略（εmax.／εmin.）倍の長さに設定しておくことが望ましい。
【００１５】
このように第２距離を蛍光体層を構成する蛍光体の比誘電率に基づいて設定することで、各色蛍光体層を備える全ての放電セルでのセル容量を揃えることができ、駆動が長期に及んだ場合における画面全体のホワイトバランスが崩れてしまうのを抑制することが可能となる。
一部の放電セルの第２距離を操作する方法としては、上記（１１）のように各放電セル群の蛍光体層の厚みをもって行う方法や、上記（１２）のように蛍光体層と誘電体層との間に形成された第２誘電体層の厚みをもって行う方法などがあげられる。
【００１６】
また、放電ガス中におけるキセノン（Ｘｅ）の分圧を１０（％）以上に高くすることで輝度の向上を図るという検討がなされているが、このようなＸｅ分圧を採用するときには、上記画質性能の低下がより顕著に表れる。このような場合にも、上記構成を採用することで、パネルの駆動が長期に及んだ場合の画質性能の低下を抑制することができる。
さらに、本発明に係る表示装置は、パネル部として上記（１）〜（１６）の何れかに係るＰＤＰを備えるので、上述の通り、駆動が長期に及んだ場合にも、黒ノイズや画面のちらつきの発生を抑制し、高い画質性能が維持できる。
【００１７】
なお、単にセル容量あるいは単位面積あたりのセル容量というときには、特に何も注釈が無い限り、放電セル底面の単位面積あたりのセル容量をいう。従って、放電セル底面の面積が２倍になれば、放電セル全体の容量は略２倍になるが、単にここでいうセル容量あるいは単位面積あたりのセル容量はほとんど変わらない。
【発明を実施するための最良の形態】
【００１８】
以下では、本発明を実施するための最良の形態について、一例をもって説明する。なお、以下で説明する実施の形態はあくまでも一例であって、本発明がこれに限定されるものではない。
（実施の形態１）
１．ＰＤＰ１０の構成
本発明の実施の形態１に係るＰＤＰ１０の構成について、図１を用いて説明する。図１は、実施の形態１に係るＰＤＰ１０の構造を示す要部斜視図（一部断面図）である。
【００１９】
１−１．前面パネル１１の構成
前面パネル１１は、前面基板１１１における背面パネル１２と対向する側の面（図１では下面）に、Ｓｕｓ電極１１２ａとＳｃｎ電極１１２ｂからなる表示電極対１１２が、互いに平行に複数対配設され、この表示電極対１１２を覆うように、誘電体層１１３および保護膜１１４が順に被覆形成されている。そして、前面基板１１１における表示電極対１１２が形成された同一表面上には、隣り合う表示電極対１１２と表示電極対１１２との間にブラックストライプ１１５が形成されている。
【００２０】
前面基板１１１は、例えば、高歪点ガラスあるいはソーダライムガラスから構成されている。また、Ｓｕｓ電極１１２ａおよびＳｃｎ電極１１２ｂの各々は、ＩＴＯ（錫ドープ酸化インジウム）、ＳｎＯ2（酸化錫）、ＺｎＯ（酸化亜鉛）などからなる幅広の透明電極１１２ａ１、１１２ｂ１と、電気抵抗を下げるためのＣｒ（クロム）−Ｃｕ（銅）−Ｃｒ（クロム）やＡｇ（銀）などから形成されたバス電極１１２ａ２、１１２ｂ２とをそれぞれ組み合わせて構成されている。
【００２１】
また、誘電体層１１３は、Ｐｂ−Ｂ系の低融点ガラス材料から形成され、保護膜１１４については、ＭｇＯ（酸化マグネシウム）あるいはＭｇＦ2（弗化マグネシウム）などを主材料として構成されている。
ブラックストライプ１１５については、後述の背面パネル１２における補助隔壁１２４ｂと略平行に形成されており、図１におけるｘ方向において、隣り合う放電セルの光が互いに漏れ出るのを防止するためのものである。
【００２２】
１−２．背面パネル１２の構成
背面パネル１２は、背面基板１２１における前面パネル１１と対向する側の面（図１では上面）に、表示電極対１１２と略直交する方向において、Ｄａｔ電極１２２が複数配置されており、このＤａｔ電極１２２を覆うように、下地誘電体層１２３が形成されている。また、この下地誘電体層１２３上には、隣り合うＤａｔ電極１２２間に主隔壁１２４ａが立設され、さらに、この主隔壁１２４ａと略直行する方向に補助隔壁１２４ｂが形成されており、これら主隔壁１２４ａと補助隔壁１２４ｂをもって背面パネル１２における隔壁１２４を構成している。なお、図面上では詳細に示していないが、ｚ方向において、補助隔壁１２４ｂの上端は、主隔壁１２４ａの上端よりも若干低く設定されている。
【００２３】
下地誘電体層１２３と隣り合う２条の隔壁１２４ａおよび２条の補助隔壁１２４ｂとで囲まれた窪み部分の内壁面には、蛍光体層１２５が設けられている。蛍光体層１２５は、色毎に赤色（Ｒ）蛍光体層１２５Ｒ、緑色（Ｇ）蛍光体層１２５Ｇ、青色（Ｂ）蛍光体層１２５Ｂの各々に分けられ、図１におけるｙ方向に主隔壁１２４ａで仕切られた窪み部分毎に色分けされて形成されている。なお、図１のｘ方向においては、隣り合う主隔壁１２４ａ間で構成される列毎に同じ色の蛍光体層１２５Ｒ、１２５Ｇ、１２５Ｂが形成されている。
【００２４】
本実施の形態においては、この蛍光体層１２５Ｒ、１２５Ｇ、１２５Ｂがその色毎にＤａｔ電極１２２上での層厚みを異なるように形成している点に特徴を有している。これについては、後述する。
背面パネル１２における背面基板１２１についても、上記前面基板１１１と同様に、高歪点ガラスあるいはソーダライムガラスなどから構成されている。Ｄａｔ電極１２２は、例えば、銀（Ａｇ）などの金属材料から形成されており、背面基板１２１の表面上にＡｇペーストをスクリーン印刷して形成されている。なお、Ｄａｔ電極１２２の形成材料としては、Ａｇの他に、金（Ａｕ）、クロム（Ｃｒ）、銅（Ｃｕ）、ニッケル（Ｎｉ）、白金（Ｐｔ）等の金属材料や、例えば、これらを積層するなどの方法で組み合わせたものも用いることもできる。
【００２５】
下地誘電体層１２３は、基本的に前面パネル１１の誘電体層１１３と同じく、Ｐｂ−Ｂ系の低融点ガラス材料から形成されているが、酸化アルミニウム（Ａｌ2Ｏ3）や酸化チタン（ＴｉＯ2）が含まれたものでもよい。また、隔壁１２４は、例えば、鉛ガラス材料を用い形成されている。
蛍光体層１２５Ｒ、１２５Ｇ、１２５Ｂの各々は、例えば、次に示すような各色蛍光体を用い形成されている。
【００２６】
Ｒ蛍光体；（Ｙ、Ｇｄ）ＢＯ3：Ｅｕ
Ｇ蛍光体；（Ｙ、Ｇｄ）ＢＯ3：ＴｂとＺｎ2ＳｉＯ4：Ｍｎとの混合物
Ｂ蛍光体；ＢａＭｇ2Ａｌ14Ｏ24：Ｅｕに金属元素を添加したもの
なお、上記において、Ｂ蛍光体の構成中における金属元素には、周期律表におけるＩＶ族元素、Ｖ族元素あるいはＶＩ族元素を使用することができる。ＩＶ族元素としては、チタン（Ｔｉ）、ジルコニウム（Ｚｒ）、ハフニウム（Ｈｆ）があり、Ｖ族元素としては、バナジウム（Ｖ）、ニオブ（Ｎｂ）、タンタル（Ｔａ）があり、ＶＩ族元素としては、クロム（Ｃｒ）、モリブデン（Ｍｏ）、タングステン（Ｗ）がある。
【００２７】
このような金属原子の添加については、次のような理由から添加されている。
Ｂ蛍光体として一般的に用いられているＢａＭｇ2Ａｌ14Ｏ24：Ｅｕは、それ単体ではパネルの駆動が長期に及んだ場合に、輝度が低下する。これに対して、上述のような金属原子を添加することで、パネルの駆動が長期に及んだ場合にあっても、Ｂ蛍光体の輝度を維持し得る。
【００２８】
また、上記金属元素は、他の金属元素に比べてＢ蛍光体中に取り込まれやすく製造が容易であるというメリットがある。このような理由から本実施の形態では上記金属原子を添加している。
１−３．前面パネル１１と背面パネル１２との配置
ＰＤＰ１０は、前面パネル１１と背面パネル１２とが、ギャップ材として背面パネル１２に形成された隔壁１２４を間に挟み、且つ、表示電極対１１２とＤａｔ電極１２２とが略直交する方向に配され、この状態で各々のパネル１１、１２の外周部どうしが封止されて構成されている。これによって、前面パネル１１と背面パネル１２との間には、各隔壁１２４によって仕切られた放電空間１３が形成され、両パネル１１、１２が密閉容器を形成することになる。ＰＤＰ１０における放電空間１３には、Ｎｅ、Ｘｅ、Ｈｅ等が混合されてなる放電ガスが充填され構成されている。放電ガスの封入圧力は、例えば、５０〜８０（ｋＰａ）程度である。
【００２９】
なお、放電ガス中におけるＸｅ分圧については、通常、７（％）未満に設定されるのであるが、パネルの発光輝度向上を目的として７（％）以上、さらには１０（％）以上とすることもできる。
ＰＤＰ１０では、表示電極対１１２とＤａｔ電極１２２とが立体交差する各箇所に放電セル（不図示）が形成される。そして、ＰＤＰ１０には、複数の放電セルがマトリックス配列された状態となっている。
２．ＰＤＰ１０の駆動方法
次に、ＰＤＰ１０の駆動方法について、図２を用いて説明する。
【００３０】
本実施の形態に係るＰＤＰ１０の各電極１１２ａ、１１２ｂ、１２２には、各ドライバを含む駆動部が接続されることで表示装置であるところのＰＤＰ装置が形成されている。なお、本実施の形態のＰＤＰ１０に接続されている駆動部については、本実施の形態特有のものではないことからその図示および装置の説明を省略する。そして、以下では、その駆動動作の説明を行う。
【００３１】
図２に示すように、本実施の形態に係るＰＤＰ１０を備えるＰＤＰ装置の駆動においては、例えば、１フィールドを８つのサブフィールドＳＦ１〜ＳＦ８に分割し、各サブフィールドの輝度相対比率が１：２：４：８：１６：３２：１２８となるように維持パルス数が設定されている。そして、各サブフィールドＳＦ１〜ＳＦ８の点灯／非点灯を表示輝度のデータに従って制御することにより、８つのサブフィールドＳＦ１〜ＳＦ８の組み合わせをもって２５６階調が表示可能となっている。なお、本実施の形態においては、一例として２５６階調で表示駆動するものであるが、本発明はこれに限定を受けるものではない。
【００３２】
各サブフィールドＳＦ１〜ＳＦ８は、互いに共通な一定の時間を割り当てられた初期化期間Ｔ1および書き込み期間Ｔ2と、輝度の相対比に応じた長さの時間で設定された維持期間Ｔ3から構成される。例えば、パネル部１００の表示駆動を行う際には、先ず、初期化期間Ｔ1において、全ての放電セルで初期化放電を発生させ、これによって当該サブフィールドよりも前のサブフィールドに行われた放電による影響の除去や放電特性のバラツキを吸収する（放電セルの初期化）。
【００３３】
次に、書き込み期間Ｔ2において、サブフィールドデータに基づいてＳｃｎ電極１１２ｂ（１）〜１１２ｂ（ｋ）を１ライン毎に順にスキャンして行き、Ｓｃｎ電極１１２ｂとＤａｔ電極１２２の間で微少放電（書き込み放電）を発生させる。このようにＳｃｎ電極１１２ｂとＤａｔ電極１２２との間で微小なアドレス放電を生じた放電セルでは、前面パネル１１の保護層１１４の表面に壁電荷が蓄積される。
【００３４】
その後、維持期間Ｔ3において、Ｓｕｓ電極１１２ａおよびＳｃｎ電極１１２ｂに対し、所定の電圧、所定の周期で矩形波の維持パルス１００１、１００２を印加する。Ｓｕｓ電極１１２ａに印加する維持パルス１００１と、Ｓｃｎ電極１１２ｂに印加する維持パルス１００２とは、互いに同一の周期を有し、且つ、その位相が半周期ずれた状態となっており、ＰＤＰ１０における全ての放電セルに対して印加される。
【００３５】
これらの維持パルス１００１、１００２の印加によって、維持期間Ｔ3では、Ｓｕｓ電極１１２ａとＳｃｎ電極１１２ｂとの間に電位差を生じさせ、この電位差と上記書き込み期間Ｔ2に書き込みが行われた放電セルに蓄積された壁電荷との合算での電位差が放電開始電圧Ｖｆを超えるようになり、書き込みの行われた放電セルでの維持放電が発生する。
この維持放電により発生した紫外線が、各蛍光体層２５を励起発光させて可視光に変換される。そして、このような操作をサブフィールドＳＦ１〜ＳＦ８間で繰り返すことにより、表示データに対応して規則的に並んだセルが選択的に放電発光されてＰＤＰ１０の表示領域に映像が映し出される。
【００３６】
なお、図２では、維持期間Ｔ3において、Ｄａｔ電極１２２の電位を一定に維持させることとしているが（印加電圧パルス１００３参照。）、輝度向上などを目的として細線矩形パルスを印加することとしてもよい。
３．放電セル毎の蛍光体層１２５の厚み設定
次に、上記でも少し触れたが、本実施の形態に係るＰＤＰ１０が最も特徴的とする、放電セル毎の蛍光体層１２５Ｒ、１２５Ｇ、１２５Ｂの厚みの設定方法について、図３を用いて説明する。
【００３７】
図３に示すように、ＰＤＰ１０では、隣り合う主隔壁１２４ａ間で構成される列毎に同じ色の蛍光体層１２５Ｒ、１２５Ｇ、１２５Ｂが形成されている。そして、各放電セルにおいて、表示電極対１１２のＳｃｎ電極１１２ｂとＤａｔ電極１２２とを直線をもって最短の距離で結ぶとき、この各直線上における各々の放電セルにおける下地誘電体層１２３の表面から各蛍光体層１２５の表面までの距離は、赤色蛍光体が配設されたＲ放電セルでｄR2、緑色蛍光体が配設されたＧ放電セルでｄG2、青色蛍光体が配設されたＢ放電セルでｄB2に設定されている。本実施の形態では、上記各距離ｄR2、ｄG2、ｄB2は、それぞれの蛍光体層１２５Ｒ、１２５Ｇ、１２５Ｂのボトム部分における距離となる。
【００３８】
また、上記直線上において、各放電セルにおける前面パネル１１の保護層１１４表面から各蛍光体層１２５の表面までの距離（放電空間１３の間隙）は、Ｒ放電セルでｄR1、Ｇ放電セルでｄG1、Ｂ放電セルでｄB1に設定されている。ここで、ＰＤＰ１０の全ての放電セルにおいては、上記直線上において、前面パネル１１の保護層１１４表面から背面パネル１２の下地誘電体層１２３の表面までの距離が略同一であることから、次の関係が成り立つ。
【００３９】
【数１】
2006114367.tif 000003
ここで、図３にも示すとおり、各距離の間には、次の関係が成り立っている。
【００４０】
【数２】
2006114367.tif 000004
【００４１】
【数３】
2006114367.tif 000005
なお、本実施の形態における上記（数２）および（数３）の関係は、それぞれの蛍光体層１２５Ｒ、１２５Ｇ、１２５Ｂを構成する蛍光体材料が有する比誘電率εに基づくものである。具体的には、蛍光体の比誘電率εが３色の中で最も小さいＧ蛍光体層１２５Ｇの距離ｄG2が最も大きくなるように設定されており、逆に、蛍光体の比誘電率εが最も大きいＲ蛍光体層１２５Ｒの距離ｄR2が最も小さくなるように設定されている。
【００４２】
また、放電空間１３の距離ｄR1、ｄG1、ｄB1を考える場合には、比誘電率εが最も小さいＧ蛍光体層１２５Ｇを有する放電セルの放電空間１３Ｇが最も小さく、比誘電率εが最も大きいＲ蛍光体層１２５を有する放電セルの放電空間１３Ｒが最も大きくなるように設定されている。
なお、Ｒ、Ｇ、Ｂの各色放電セルにおける蛍光体層１２５の厚みについては、製造工程のマージン管理と画質とのかねあいにより、各放電セルの間におけるセル容量のバラツキが１０（％）以内となるように設定することが画質性能の確保という点から望ましい。また、蛍光体層１２５の厚みを、各放電セルの間における最大電界強度のバラツキが１０（％）以内となるように設定することが望ましい。
【００４３】
３−１．セル容量
続いて、ＰＤＰ１０の各放電セルにおける等価回路を図４に示す。
図４中において、ＶSCN1R、ＶSCN1G、ＶSCN1Bは、それぞれ１番目のＲ放電セル、Ｇ放電セル、Ｂ放電セルのスキャン電位を示すものであり、また、ＣSCN-SUSR、ＣSCN-SUSG、ＣSCN-SUSBは、それぞれＲ放電セル、Ｇ放電セル、Ｂ放電セルでのＳｃｎ電極１１２ｂとＳｕｓ電極１１２ａ間での静電容量である。
【００４４】
同様に、図４において、ＣSUS-DATR、ＣSUS-DATR、ＣSUS-DATBは、それぞれＳｕｓ電極１１２ａとＤａｔ電極１２２間での静電容量であり、ＶDAT1R、ＶDAT1G、ＶDAT1Bは、それぞれ１番目のＲ放電セル、Ｇ放電セル、Ｂ放電セルのデータ電位を示すものである。
セル容量とは、各放電セルに対して電圧ＶCXを印加した際に、あるいは、電流を流した際に放電セルに蓄積される電荷ＱCXと、次式（数４）により得られる比例係数ＣCXをいう。
【００４５】
【数４】
2006114367.tif 000006
ここで、上記（式４）中におけるＲ、Ｇ、Ｂは、それぞれＲ放電セル、Ｇ放電セル、Ｂ放電セルに係るものであることを示すものである。
ＡＣ型のＰＤＰである本実施の形態に係るＰＤＰ１０において、各放電セルには、３電極（Ｓｕｓ電極１１２ａ、Ｓｃｎ電極１１２ｂ、Ｄａｔ電極１２２）が形成されており、各電極の組み合わせ毎にセル容量を定義することも可能ではあるが、これら容量を合成した見かけ上の容量をセル容量とみなすこともでき、何れのセル容量を用いてもよい。ただし、本実施の形態に関しては、書き込み期間Ｔ2において重要な役割を担うＳｃｎ電極１１２ｂとＤａｔ電極１２２間での容量ＣSCN-DATをセル容量として定義し、説明することとする。
【００４６】
そして、ＰＤＰ１０の全ての放電セルにおけるセル容量を均一化するということは、全ての放電セルで放電開始電圧Ｖｆを等しくすることに相当する。
放電セルに蓄積される壁電荷の量Ｑfxは、（数５）に示す関係を有するが、ここで、比例係数Ｃcxが一定と仮定すれば、電圧Ｖfxに比例することになる。
【００４７】
【数５】
2006114367.tif 000007
ここで、電圧Ｖfxは、各放電セルの放電開始電圧を示す。
これより、上記蛍光体層１２５の厚み設定をもって、ＰＤＰ１０における全ての放電セルのセル容量の均一化を図った場合には、次式（数６）に示すように、電圧ＶCXをＲ、Ｇ、Ｂの各放電セル間で均一とし、セル容量に見合った壁電荷Ｑfxを蓄積することができる。
【００４８】
【数６】
2006114367.tif 000008
３−２．蛍光体層１２５の厚みとＰＤＰ１０が有する優位性
上述のように、従来の構成を有するＰＤＰにおいては、その駆動が長期に及んだ場合に、黒ノイズや画面のちらつきといった現象が発生し、画質性能の低下をもたらしていた。特に、放電ガス中におけるＸｅ分圧を７（％）以上、あるいは１０（％）以上に設定した場合には、その傾向は顕著に現われることになる。本発明者らは、これらの発生における主因が、初期化期間Ｔ1における初期化時において、各放電セルの誘電体層１１３上および蛍光体層１２５上に蓄積される壁電荷の量が放電セル毎、さらに詳しくは、その蛍光体層１２５の色毎に異なることにあることを究明した。
【００４９】
初期化期間Ｔ1においての蓄積壁電荷が少ない放電セルでは、書き込み期間Ｔ2に書き込みパルスを印加しても、放電に十分な電位状態まで上昇し得ない状態となる箇所が発生し、結果として書き込み放電を生じない放電セルが発生してしまう。これにより、黒ノイズや画面のちらつきが発生することになり、また、パネルの駆動が長期に及んだ場合に、その発生傾向が顕著になる。
【００５０】
一般に、表示画面上における多くの放電セルでは、隣り合う放電セルと輝度や色が近寄っているが、突然に輝度や色が変化した場合には、それが画面のちらつきとして現われる。
このような現象を抑制すべく、本実施の形態に係るＰＤＰ１０では、上述のように、各放電セルが有する蛍光体層１２５の蛍光体（添加物質も含んだ状態）が有する比誘電率εに基づいて蛍光体層１２５の厚み、言い換えれば、上記各距離ｄR1、ｄR2、ｄG1、ｄG2、ｄB1、ｄB2を設定し、これによって書き込み放電を生じさせるのに十分な壁電荷の蓄積を初期化期間Ｔ1において可能とする。
【００５１】
このような蛍光体層１２５の設定により、Ｒ放電セル、Ｇ放電セル、Ｂ放電セル間でセル容量を均一な状態とすることが可能となり、ＰＤＰ１０を長期に渡って駆動した場合にも、パネル内の全ての所要な放電セルで書き込み放電を確実に発生させることができ、ホワイトバランスが低下したり、黒ノイズおよび画面のちらつき等を生じることがない。このような本実施の形態に係るＰＤＰ１０が有する優位性は、放電ガス中におけるＸｅ分圧を１０（％）以上にまで高めた場合にも同様である。
【００５２】
３−３．セル容量と距離との関係
上記のように、本実施の形態では、比誘電率εが互いに異なる３色の蛍光体からなる蛍光体層１２５Ｒ、１２５Ｇ、１２５Ｂを備えるＲ、Ｇ、Ｂの放電セルのセル容量を均一化するのに色毎に蛍光体層１２５のボトム部での厚み、即ち、図３の距離ｄR2、ｄG2、ｄB2を設定した。この間における関係について、図５を用いて補足しておく。図５は、放電セルをモデル化して示したものである。
【００５３】
図５に示すように、放電セルにおける放電空間１３における容量成分Ｃ1と蛍光体層１２５における容量成分Ｃ2とを考えるとき、放電セルにおける静電容量Ｃは以下の式をもって得られる。
【００５４】
【数７】
2006114367.tif 000009
ここで、一般的に容量Ｃは、面積をＳ（図１をｚ方向に見たときに、Ｓｃｎ電極１１２ｂとＤａｔ電極１２２との交差面積に相当）、比誘電率をε、間隙をｄとするとき、次式で与えられる。
【００５５】
【数８】
2006114367.tif 000010
ここで、図５にも示す通り、ｄ＝ｄ1＋ｄ2の関係が成り立つので、上記（数７）は次式に変換される。
【００５６】
【数９】
2006114367.tif 000011
ここで、上記（数９）においては、ε1が放電空間１３中における放電ガスが有する比誘電率を示し、また、ε2が蛍光体層１２５における蛍光体が有する比誘電率を示す。
上記（数９）に示す式からも明らかなように、各放電セルのセル容量は、比誘電率ε1、ε2および距離ｄ1に関係する。そして、比誘電率ε1については、全放電セルで共通と考えられることから、比誘電率ε2が小さい蛍光体からなる蛍光体層１２５を有する放電セルのセル容量Ｃを大きくしようとする場合には、距離ｄ1を小さく、即ち、距離ｄ2を大きく設定すればよい。
【００５７】
本実施の形態に係るＰＤＰ１０では、上記関係を踏まえて、比誘電率εが３色中で最も大きいＲ蛍光体層１２５Ｒの厚み、即ち、距離ｄR2を最も小さく設定し、逆に、比誘電率εが３色中で最も小さいＧ蛍光体層１２５Ｇの距離ｄG2を最も大きく設定したものである。
なお、上記蛍光体とは異なる材料を用いた場合には、その蛍光体が有する比誘電率εに基づいて、蛍光体層１２５のボトム部での厚みの設定を行うようにすればよい。
【００５８】
４．駆動時間が長期に及んだ場合における色毎の画質性能の低下のバラツキ
次に、従来のＰＤＰでは、駆動が長期に及んだ場合に、画質性能の低下がその蛍光体層の色毎にバラツキを有し、上記種類の各色蛍光体を用いる場合には、特にＧ蛍光体層を有する放電セルでの低下が著しい。これについて、図６を用いて説明する。図６は、蛍光体層の厚みを放電セル毎に変えることなく形成された従来のＰＤＰを駆動し、例えば、駆動開始から５０００（ｈｒ．）経過時点での、各色放電セルで必要となるＳｃｎ電極とＤａｔ電極との間の書き込み電圧値を模式的に示したものである。なお、図６中において、「Ｂ'」と標記しているのは、上記実施の形態に係るＢ蛍光体と同様に、ＢａＭｇ2Ａｌ14Ｏ24：Ｅｕに金属原子を添加したものである。それに対して、「Ｂ」と標記しているのは、金属原子の添加がないものである。
【００５９】
図６に示すように、蛍光体層の厚みを放電セル毎に設定せず、略均一に設定している従来のＰＤＰでは、駆動開始から５０００（ｈｒ．）経過時点でＧ放電セルの一部が書き込み不可能となってしまう。これは、上述のように、Ｇ放電セルにおける蛍光体が有する比誘電率が、初期の時点からＲ蛍光体、Ｂ蛍光体、Ｂ'蛍光体などに比べて低く、そのためにパネルの駆動初期から必要とする電圧が高い。
【００６０】
ＰＤＰの駆動条件を設定する際には、上述のような放電セル間のバラツキ、あるいは面内のバラツキなどを考慮して高めの電圧がＳｃｎ電極とＤａｔ電極との間に印加されるように設定されているのであるが、Ｇ放電セルでは、そのマージンが少ない。
これらを原因として、ＰＤＰでは、駆動が長期に及んだ場合に、Ｒ、Ｇ、Ｂの各放電セル間でバラツキを有した状態で黒ノイズなどを発生する。
【００６１】
５．青色蛍光体への金属元素の添加と距離ｄB2
次に、上述のように、本実施の形態に係るＰＤＰ１０においては、Ｂ蛍光体層１２５Ｂの形成にあたって、ＢａＭｇ2Ａｌ14Ｏ24：Ｅｕを主原料とし、これに金属元素（例えば、周期律表におけるＩＶ族、Ｖ族、ＶＩ族の元素群（Ｔｉ、Ｚｒ、Ｈｆ、Ｖ、Ｎｂ、Ｔａ、Ｃｒ、Ｍｏ、Ｗ）の中から選択される少なくとも１種の元素）を添加している。この理由と、Ｂ蛍光体層１２５Ｂの厚みの設定について、図７を用いて説明する。図７は、（ａ）〜（ｃ）の全てにおいて、横軸にパネルの駆動時間を示し、縦軸には、（ａ）が輝度、（ｂ）および（ｃ）が電荷保持性能を示している。なお、輝度および電荷保持性能については、駆動初期における各値を"１．０"とし、各時間ｔ経過時点での比率を表している。ただし、（ａ）における「Ｂ'」については、「Ｂ」の初期値を基準としている。
【００６２】
また、図７（ｂ）と（ｃ）とは、（ｂ）が従来構成で蛍光体層を形成したものを示し、（ｃ）が本実施の形態に基づき蛍光体層を形成したものを示す。
図７（ａ）に示すように、上記金属元素を添加せずに形成したＢ蛍光体層を有する放電セルにおいては、駆動時間が経過するほど顕著にその輝度が低下している。これに対して、上記金属元素を添加して形成したＢ'蛍光体層を有する放電セルでは、Ｂ蛍光体層より初期の輝度こそ若干劣るものの、駆動時間ｔの経過によっても輝度の低下をほとんど招かない。
【００６３】
図７（ｂ）に示すように、上述のように金属元素を添加することで輝度の低下を抑えることが可能となるＢ'蛍光体層ではあるが、反面、電荷保持性能については、Ｂ蛍光体層を備える放電セルよりも顕著に低下する傾向にある。
これに対して、図７（ｃ）に示すように、上記実施の形態に関係に基づいて、Ｂ'蛍光体層１２５Ｂの厚み、即ち、距離ｄB2を設定すれば、上記図７（ａ）の輝度性能を維持したまま、電荷保持性能についても駆動時間ｔに関わりなく安定なものとすることができる。
【００６４】
６．セル容量についての検証
以下では、セル容量の設定により上記効果が得られるメカニズムについて実施した検証について説明する。
６−１．検証に用いたＰＤＰモデル
本検証に用いたＰＤＰモデルについて、図８を用いて説明する。
【００６５】
図８（ａ）、（ｂ）に示すように、前面パネル５１０における保護層５１４表面と背面パネル５２０の下地誘電体層５２３表面との間の間隙は、全ての放電セルで１２０（μｍ）に設定した。また、各放電セルにおける蛍光体層５２５のボトム部での厚みについては、Ｒ、Ｇ、Ｂの各放電セルにおいて、１４〜２５（μｍ）の範囲で変化させた。なお、図８では、一例として、２０（μｍ）として表している。
【００６６】
図８（ａ）に示すように、放電セルの幅、即ち、隔壁５２４間の間隔ｔについては、Ｒ、Ｇ、Ｂ毎に次のように設定した。
ｔR＝３２７（μｍ）
ｔG＝３２７（μｍ）
ｔB＝４３６（μｍ）
また、Ｒ、Ｇ、Ｂの各々に用いた蛍光体の比誘電率の実測結果は次の通りである。
【００６７】
Ｒ蛍光体；ε＝３．６
Ｇ蛍光体；ε＝２．７
Ｂ蛍光体；ε＝３．５
これらの数値以外については、全ての放電セルで共通とし、図８に示す通りとした。
６−２．蛍光体層５２５の厚みと静電容量（Ｒ、Ｇ、Ｂごとのセル全体の容量）
上記図８のＰＤＰモデルを用い、Ｒ、Ｇ、Ｂの放電セルごとに、モデルに対して有限要素法を用いた静電解析を実施した。そして、蛍光体層の厚みと、Ｓｃｎ電極−Ｄａｔ電極間の静電容量（Ｒ、Ｇ、Ｂごとのセル全体の容量）との関係についての解析結果を図９に示す。
【００６８】
ここで、図９で示した縦軸は、Ｒ、Ｇ、Ｂごとのセル全体の静電容量であり、Ｒ、Ｇ、Ｂでセル幅が同じ場合には単位面積あたりのセル容量と同義になるが、Ｒ、Ｇ、Ｂでセル幅が異なるような本例の場合には隔壁間隔ｔR、ｔG、ｔBの比だけ異なることになる。
なお、図９に示す解析結果を得るために、Ｓｃｎ電極に一定の電荷密度を与えたときの、Ｓｃｎ電極−Ｄａｔ電極の電圧を計算で求め、これよりＲ、Ｇ、Ｂごとのセル全体の容量Ｃを推定した。
【００６９】
図９に示すように、各放電セルにおける単位長さ（１（ｍ））当たりのＲ、Ｇ、Ｂごとのセル全体の静電容量Ｃは、検証の範囲内での蛍光体層の厚みでは３０〜３４．５（μＦ／ｍ）である。また、図９からも明らかなように、蛍光体層の厚みを増加させるにしたがって、静電容量Ｃも増加する傾向を有する。この傾向については、蛍光体層の色に区別はない。
【００７０】
Ｇ放電セルにおける静電容量Ｃは、Ｒ放電セルおよびＢ放電セルに比べて低くなっている。これは、Ｇ放電セルの蛍光体が有する比誘電率εがＲ、Ｂの各蛍光体に比べて小さいためであると考えられる。これは、上述の通りである。また、Ｇ蛍光体の空間充填率がＲ、Ｂ蛍光体に比べて小さいことも起因しているものと考えられる。このために、Ｒ、Ｇ、Ｂの各放電セルに対して同一の電圧を印加した場合にも、Ｓｃｎ電極上の電荷密度がＧ放電セルで最も小さくなり、結果として、放電空間内の電界が小さくなっていると考えられる。
【００７１】
仮に、蛍光体層の厚みをＲ、Ｇ、Ｂの各放電セル間で同一に設定した場合には、Ｇ放電セルが最も放電を開始し難くなる。これは、Ｇ放電セル内の電界の相対的な弱さに起因するものであると推定される。
これより、Ｇ蛍光体層の厚みを、３色の蛍光体の内最大の値を有するＲ蛍光体の比誘電率εRとＧ蛍光体の比誘電率εGとの関係に基づき、略（εR／εG）倍とすることでＲ、Ｇ、Ｂごとのセル全体の容量ＣをＲ放電セルと同等とすることができる。このため、放電空間部における電界も略同等とすることができ、放電開始電圧Ｖfも略同等とすることが可能となる。
【００７２】
例えば、Ｒ蛍光体層の厚みを１７（μｍ）としたときに、Ｇ放電セルのセル容量をＲ放電セルのセル容量と同等とするためには、Ｇ蛍光体層の厚みを１７×（３．５／２．７）＝２２．０（μｍ）に設定すればよいことになる。
なお、Ｒ、Ｇ、Ｂの各蛍光体層の厚みの設定においては、上記（数９）の関係を元にして設定してもよい。
【００７３】
また、放電セルのセル容量を操作するためには、上記のように蛍光体層の厚みをもって行うことができるが、この他に、蛍光体の空間充填率を変えたり、誘電率の高い化学組成を有する他の蛍光体材料を用いることによってもなし得る。
バラツキに関して、図１０および図１１を用いて説明する。図１０は、従来の放電セルにおける単位面積あたりの静電容量の取り得る相対範囲を、Ｒ、Ｇ、Ｂごとに示した図である。Ｒ、Ｇ、Ｂのセル全体におけるセル容量の最大値から最小値を引いた値をｄC0とすると、何も注釈をつけない限りこのｄC0がセル容量のバラツキを示す。バラツキの程度を示す値としては、前記ｄC0の中央における絶対値ｄC0,ctrを用いて、（数１０）で表す。
【００７４】
【数１０】
2006114367.tif 000012
同様に、本発明のセル構成におけるセル容量のバラツキをｄCとすると、本発明によるセル容量のバラツキの程度を示す値としては、前記ｄCの中央の絶対値ｄC,ctrを用いて、（数１１）で表す。
【００７５】
【数１１】
2006114367.tif 000013
図１１は、従来の放電セルにおける最大電界強度ＥＦmaxと、第１電極（例えば、Ｓｕｓ電極とＳｃｎ電極）および第２電極（例えば、Ｄａｔ電極）の電極間電圧との関係をＲ、Ｇ、Ｂのセルごとに示した図である。
【００７６】
Ｒ、Ｇ、Ｂのセル全体における最大電界強度の最大値から最小値を引いた値をｄef0とすると、何も注釈をつけない限りこのｄef0が最大電界強度のバラツキを示す。バラツキの程度を示す値としては、前記ｄef0の中央の絶対値ｄef0,ctrを用いて、（数１２）で表す。
【００７７】
【数１２】
2006114367.tif 000014
同様に、本発明のセル構成における最大電界強度のバラツキをｄefとすると、本発明によるセル容量のバラツキの程度を示す値としては、前記ｄefの中央の絶対値ｄef,ctrを用いて、（数１３）で表す。
【００７８】
【数１３】
2006114367.tif 000015
そして、本発明者らが鋭意検討した結果、放電セル間におけるセル容量のバラツキあるいは最大電界強度のバラツキを１０（％）以内とすることで、放電開始電圧Ｖfを実質的に略同一とすることができる。
【００７９】
６−３．Ｓｃｎ電極−Ｄａｔ電極間の電位分布
次に、Ｓｃｎ電極−Ｄａｔ電極間の電位分布について、図１２および図１３を用いて説明する。
Ｓｃｎ電極に１００（Ｖ）、Ｄａｔ電極に０（Ｖ）を印加した場合にも、放電空間には約８０（Ｖ）程度しか印加されない。しかも、放電空間での電界の分布は各部を構成する要素の比誘電率εとその構造に依存する。同時に、放電セル全体のセル容量は、Ｒ、Ｇ、Ｂ各放電セルの比誘電率εとセル構造に依存する。
【００８０】
Ｓｃｎ電極−Ｄａｔ電極間での放電の開始は、放電空間内の電界強度で決定される。Ｓｃｎ電極−Ｄａｔ電極間に一定の電圧を印加した際の電位分布は、図１２に示す通りとなる。厚さ１２０（μｍ）の放電空間に８０（Ｖ）の電圧が印加された場合には、平均電界は、０．８×１０6（Ｖ／ｍ）となる。
ところが、電界は、放電空間内で一定に分布しているものではなく、図１３に示すような分布状態をとり、Ｄａｔ電極の表面で最大値をとり、約１．１×１０6（Ｖ／ｍ）となる。
（実施の形態２）
次に、実施の形態２に係るＰＤＰ２０について、図１４を用いて説明する。ただし、上記実施の形態１に係るＰＤＰ１０との共通点についての、重ねての説明は省略する。
【００８１】
図１４に示すように、本実施の形態に係るＰＤＰ２０の構成が上記ＰＤＰ１０と相違するところは、蛍光体層２２５Ｒ、２２５Ｇ、２２５Ｂと下地誘電体層１２３との間に介挿された第２誘電体層２２６Ｒ、２２６Ｇ、２２６Ｂの存在にある。また、ＰＤＰ２０では、各蛍光体層２２５Ｒ、２２５Ｇ、２２５Ｂのボトム部での厚み、即ち、各々の距離ｄR3、ｄG3、ｄB3が互いに略同一の値に設定されている。
【００８２】
第２誘電体層２２６Ｒ、２２６Ｇ、２２６Ｂは、下地誘電体層１２３と同様に、Ｐｂ−Ｂ系ガラスなどで形成されているが、これに酸化チタン（ＴｉＯ2）、酸化バリウム（ＢａＯ）、酸化鉛（ＰｂＯ）、酸化アルミニウム（Ａｌ2Ｏ3）、酸化マグネシウム（ＭｇＯ）で構成される群の中から選択された少なくとも１種の金属酸化物が添加されている構成としてもよい。
【００８３】
また、第２誘電体層２２６Ｒ、２２６Ｇ、２２６Ｂの各々の厚みｄR4、ｄG4、ｄB4は、各放電セル間でセル容量が略同一となるように設定されているものであり、その設定方法については、上記実施の形態１と同様の考え方である。なお、上記厚みｄR4、ｄG4、ｄB4を設定の際に考慮すべき因子としては、放電空間１３に充填された放電ガスの比誘電率、各蛍光体層２２５Ｒ、２２５Ｇ、２２５Ｂを構成する材料の比誘電率および第２誘電体層２２６Ｒ、２２６Ｇ、２２６Ｂを構成する材料の比誘電率などである。
【００８４】
このようにＲ、Ｇ、Ｂの各放電セル毎に厚みを設定した第２誘電体層２２６Ｒ、２２６Ｇ、２２６Ｂを設けることによって、本実施の形態に係るＰＤＰ２０においても、パネルの全ての放電セルでそのセル容量を揃えることができるようになる。
従って、本実施の形態に係るＰＤＰ２０は、上記ＰＤＰ１０と同様に、パネル内の全ての所要な放電セルで書き込み放電を確実に発生させることができ、ホワイトバランスが低下したり、黒ノイズおよび画面のちらつき等を生じることがない。このような優位性は、放電ガス中におけるＸｅ分圧を１０（％）以上にまで高めた場合にも同様である。
【００８５】
なお、本実施の形態では、第２誘電体層２２６Ｒ、２２６Ｇ、２２６Ｂがともに同一材料からなる構成としたが、放電セル毎にその比誘電率をさせ得るような物質を添加する方法を採ってもよい。
（実施の形態３）
実施の形態３に係るＰＤＰ３０およびこれをパネル部として備える表示装置について、図１５〜１７を用いて説明する。なお、上記実施の形態１、２との重複部分についての説明は省略し、以下では、その相違点のみを説明する。
【００８６】
１．ＰＤＰ３０の構成
図１５に示すように、ＰＤＰ３０が上記実施の形態１に係るＰＤＰ１０（図１参照。）と相違する点は、背面パネル３２における隔壁３２４の構成と電極１２２、３２２の配置にある。
背面パネル３２のベースをなす背面基板１２１には、その一方の表面上に図のｘ方向に延びるＤａｔ電極１２２が複数本形成されており、且つ、これらＤａｔ電極１２２と交差する方向（ｙ方向）に延びる補助電極３２２が形成されている。Ｄａｔ電極１２２と補助電極３２２とは、下地誘電体層１２３を間に挟んだ状態で立体交差し、また、補助電極３２２の上面は、下地誘電体層１２３で覆われている。
【００８７】
補助電極３２２は、Ｄａｔ電極１２２と同様に、例えば、Ａｇなどの材料から構成されており、また、補助電極３２２の上端面から放電空間までの距離、即ち、補助電極３２２上における下地誘電体層１２３の厚みは、耐スパッタ性等を考慮して５（μｍ）程度に設定されている。
下地誘電体層１２３の面上には、Ｄａｔ電極１２２と並行して主隔壁３２４ａが形成され、これに略直行する方向に補助隔壁３２４ｂが形成されている。これら主隔壁３２４ａおよび補助隔壁３２４ｂの構成などは、上記ＰＤＰ１０と同様である。ＰＤＰ３０で特徴となるのは、補助隔壁３２４ｂと並行し、且つ、所要の間隙をおいて第２補助隔壁３２４ｃが形成されているところにある。そして、この補助隔壁３２４ｂと第２補助隔壁３２４ｃとの形成位置は、その間に補助電極３２２が配置される位置である。
【００８８】
図１５に示すように、ＰＤＰ３０では、各蛍光体層１２５Ｒ、１２５Ｇ、１２５Ｂは、補助電極３２２が形成されている部分の下地誘電体層１２３上には形成されておらず、補助隔壁３２４ｂと第２補助隔壁３２４ｃとで挟まれる補助空間３４では、下地誘電体層１２３が空間を臨む状態となっている。なお、この補助空間３４に対して、蛍光体層１２５Ｒ、１２５Ｇ、１２５Ｂの形成がなされた空間を主放電空間３３と呼ぶことにする。
【００８９】
また、図１５には、第２補助隔壁３２４の上端が、主隔壁３２４ａの上端よりもｚ方向に若干低く（例えば、１０μｍ程度低く）設定されている場合を示しているが、隔壁３２４ｂと補助隔壁３２４ｃとの高さが同一であっても良い。
また、ＰＤＰ３０の前面パネル３１には、上記ＰＤＰ１０の前面パネル１１と同様に、ブラックストライプ３１５が形成されているが、このブラックストライプ３１５の形成領域は、補助空間３４を覆う領域である。
【００９０】
Ｒ、Ｇ、Ｂの各蛍光体層１２５Ｒ、１２５Ｇ、１２５Ｂのボトム部における各厚みについては、上記実施の形態に係るＰＤＰ１０と同様に、Ｇ蛍光体層１２５Ｇが最も厚く、Ｂ蛍光体層１２５Ｂ、Ｒ蛍光体層１２５Ｒの順に薄くなるように設定されている。
主放電空間３３および補助空間３４には、上記ＰＤＰ１０と同様な放電ガスが充填されているが、この場合においても、放電ガス中のＸｅ分圧を１０（％）以上とすることもできる。
【００９１】
なお、Ｄａｔ電極１２２、補助電極３２２および下地誘電体層１２３の形成は、例えば、まず背面基板１２１上にＤａｔ電極１２２を形成し、一旦この上に少し厚みの薄い下地誘電体層を形成した後、その面上に補助電極３２２を形成し、再びこの上に下地誘電体層を形成することで可能となる。
２．ＰＤＰ３０を備えた表示装置の構成
次に、上記構成のＰＤＰ３０を備える表示装置の構成について、図１６を用いて説明する。図１６は、本実施の形態に係る表示装置の構成を模式的に示すブロック図である。
【００９２】
図１６に示すように、本実施の形態に係る表示装置は、上記ＰＤＰ３０をパネル部とし、このＰＤＰ３０の各電極１１２ａ、１１２ｂ、１２２、３２２に接続された駆動回路部４０とを有する。駆動回路部４０は、データ検出部４１０、サブフィールド変換部４２０、表示制御部４３８、サスティンドライバ４５０、スキャンドライバ４６０、データドライバ４７０およびパルスジェネレータ４７５を備え構成されている。
【００９３】
データ検出部４１０は、外部から入力されるＰＤＰ３０の各放電セルの階調値を示す映像データから、１画面ごとの表示画面データ（各セルの階調値）を検出し、順次サブフィールド変換部４２０に転送する。ここで、１画面毎の表示画面データの検出は、映像データに含まれる垂直同期信号を基準として行うことができる。また、表示画面データとしては、各放電セルが２５６階調で表示される場合、１セル当たりの階調値は８ｂｉｔで表される。
【００９４】
サブフィールド変換部４２０は、サブフィールドメモリ２２１を備え、データ検出部４１０から転送されてくる画面データをＰＤＰ３０に階調表示させるための各サブフィールドにおけるセルの点灯の要否を示す２値データの集合であるサブフィールドデータに変換してサブフィールドメモリ２２１に格納する。そして、表示制御部４３８の制御によってサブフィールドデータをデータドライバ４７０に送る。
【００９５】
表示制御部４３８には、上記映像データと同期して同期信号（例えば、水平同期信号（Ｈｓｙｎｃ）、垂直同期信号（Ｖｓｙｎｃ）が入力される。この同期信号に基づいて、表示制御部４３８は、データ検出部４１０に表示画面データを転送するタイミングを指示するタイミング信号と、サブフィールド変換部４２０にサブフィールドメモリ２２１への書き込み及び読み出しタイミングを指示するタイミング信号と、サスティンドライバ４５０、スキャンドライバ４６０、データドライバ４７０およびパルスジェネレータ４７５に各パルスを印加するタイミングを指示するタイミング信号を送る。
【００９６】
表示制御部４３８によるスキャンドライバ４６０およびパルスジェネレータ４７５へのタイミング信号の出力は、アドレス期間Ｔ2（図１７参照。）の時間的な先頭においてプライミング放電を生じさせるために実施されるものである。
サスティンドライバ４５０は、公知のドライバＩＣ回路が用いられ、ＰＤＰ３０の複数のＳｕｓ電極１１２ａに接続されており、全放電セルにおいて安定した初期化放電、維持放電および消去放電を行うことができるように各サブフィールドの初期化期間、維持期間において複数のＳｕｓ電極１１２ａに対して初期化パルスおよび維持パルス（例えば、１５０（Ｖ）以上３５０（Ｖ）以下の範囲内であって、望ましくは、１８０（Ｖ）程度）を印加する。
【００９７】
スキャンドライバ４６０は、公知のドライバＩＣ回路が用いられ、ＰＤＰ３０の複数のＳｃｎ電極１１２ｂに接続されており、全放電セルにおいて安定した初期化放電、アドレス（書き込み）放電、および維持放電を行うことができるように各サブフィールドの初期化期間、アドレス（書き込み）期間、維持期間において複数のＳｃｎ電極１１２ｂに対してそれぞれ初期化パルス、アドレスパルスおよび維持パルス（例えば、１５０（Ｖ）以上３５０（Ｖ）以下の範囲内であって、望ましくは、１８０（Ｖ）程度）を印加する。
【００９８】
データドライバ４７０は、例えば特開２００２−２８７６９１号公報の図１１に記載のような公知のドライバＩＣ回路が用いられ、ＰＤＰ３０の複数のＤａｔ電極１２２に接続されている。このデータドライバ４７０は、全放電セルにおいて安定したアドレス放電、維持放電を行うことができるように各サブフィールドのアドレス期間に複数のＤａｔ電極１２２に対して選択的にアドレスパルス（例えば、６０（Ｖ）以上８０（Ｖ）以下の範囲内であって、望ましくは、７０（Ｖ）程度）を印加する。
【００９９】
パルスジェネレータ４７５は、表示制御部４３８からのタイミング信号をトリガとして、所定の電圧値（例えば、６０（Ｖ）以上８０（Ｖ）以下の範囲内であって、望ましくは、７０（Ｖ）程度）を有するパルスをＰＤＰ３０の補助電極３２２に印加する。
３．表示装置（ＰＤＰ３０）の駆動方法
次に、上記構成を有する表示装置の駆動方法について、図１７を用いて説明する。図１７は、１フィールドを複数のサブフィールドに分割（例えば、８つのサブフィールドに分割）した内の１のサブフールドを示す図である。
【０１００】
図１７に示すように、駆動に際してＰＤＰ３０の各電極１２２ａ、１２２ｂ、１２２、３２２に印加される電圧波形の内、Ｓｕｓ電極１１２ａ、Ｓｃｎ電極１１２ｂおよびＤａｔ電極１２２に印加される電圧波形２００１〜２００３については、基本的に上記実施の形態に係るＰＤＰ１０に印加のものと同一である（図２参照）。
本実施の形態に係る表示装置の駆動において、上記実施の形態１と相違するのは、上でも少し触れたがアドレス期間Ｔ2の内の初期のタイミングをもって、補助電極３２２とＳｃｎ電極１１２ｂとの間にプライミング放電を生じさせるためのパルスが印加されるところにある。このアドレス期間Ｔ2の初期タイミングにおけるプライミング放電は、パネルの発光効率を向上させるために生じさせるものであって、例えば、特開２０００−１９４３１７号公報などに類似する技術が開示されている。
【０１０１】
４．ＰＤＰ３０およびこれを備える表示装置が有する優位性
以上のような構成および駆動方法を採るＰＤＰ３０および表示装置では、上記実施の形態１に係るＰＤＰ１０と同様に、Ｒ、Ｇ、Ｂの各放電セルにおける各蛍光体層１２５Ｒ、１２５Ｇ、１２５Ｂのボトム部での厚みを変え、これによって、ＰＤＰ３０の全放電セルでのセル容量が同一または略同一となるようにしている。
【０１０２】
従って、本実施の形態に係るＰＤＰ３０およびこれを備える表示装置でも、上記実施の形態１および実施の形態２などと同様に、パネル内の全ての所要な放電セルで書き込み放電を確実に発生させることができ、ホワイトバランスが低下したり、黒ノイズおよび画面のちらつき等を生じることがない。このような優位性は、放電ガス中におけるＸｅ分圧を１０（％）以上にまで高めた場合にも同様である。
【０１０３】
また、本実施の形態に係る表示装置では、その駆動時におけるアドレス期間Ｔ2の初期のタイミングにおいて、プライミング放電を生じさせていることから、高い発光効率も実現される。
なお、本実施の形態では、セル容量を揃えるための手段として各放電セルにおける蛍光体層１２５の厚みを各々設定することとしたが、上記実施の形態２と同様に、第２誘電体層を設け、その厚みを各放電セル毎に設定することで、セル容量を同一または略同一とする手段を講じることも可能である。
【０１０４】
また、上記図１７の維持期間Ｔ3において、全てあるいは一部の補助電極３２２に対して細線の正パルスなどを印加するようにしてもよい。このパルスは、維持データパルスと呼ばれるものであって、輝度向上に寄与する。
（その他の事項）
以上、本発明を実施するための最良の形態ということで、実施の形態１〜３を一例として説明してきたが、本発明はこれに限定されるものではなく、本発明が特徴とする主幹となるパネルにおける放電セル間でのセル容量のバラツキを小さくするという目的を達し、これによって、高い画質性能を長期にわたって維持できる構成であれば、その構成を適宜変更することが可能である。例えば、次に列記するような変形例を採用することもできる。
【０１０５】
１．上記実施の形態１〜３では、下地誘電体層１２３を同一の材料からなる１層構成としたが、材料が異なる２層あるいはそれ以上の積層構成とすることもできる。
２．図２、図１７などで示したＰＤＰの駆動方法では、一例として、１フィールドを８つのサブフィールドＳＦ１〜ＳＦ８に分割してＰＤＰを駆動するものとしたが、これ以外の駆動方法を採ることも当然可能である。
【０１０６】
３．上記３つの実施の形態では、本発明者らが究明した蛍光体における色毎の比誘電率の差異がセル容量に影響を及ぼし、これを解決すべく、ＰＤＰに形成された複数の放電セルをＲ、Ｇ、Ｂの各セル群に分けて、そのセル群間におけるセル容量のバラツキの低減を図った。しかし、駆動が長期に及んだ場合に生じる画質性能の低下は、Ｒ、Ｇ、Ｂ間のバラツキだけが原因であるわけではなく、パネルの面内バラツキも影響する。面内バラツキとしては、例えば、パネルの中央部と周辺部との基板間隔などが傾向的にバラツキを有するような場合にも、中央部と周辺部とでセル容量がバラツキを有することになる。
【０１０７】
これに対応して、エリア毎にそのセル容量を調整し、パネル全体として複数の放電セルの間でのセル容量のバラツキを低減できれば、より画質性能の高いＰＤＰを得ることが可能となる。
４．上記実施の形態１〜３では、ＰＤＰの一例として、前面パネル１１、３１と背面パネル１２、２２、３２とを構成要件とし、これらを張り合わせて形成された密閉容器を有する形態のものを採用したが、本発明に係るＰＤＰは、必ずしもこのような形態に限定を受けるものではない。例えば、チューブ状の密閉容器を備える形態のものにも適用が可能である。
【０１０８】
５．上記実施の形態におけるＰＤＰを構成する各材料、あるいは製造方法などについても、本発明はこれに限定を受けるものではない。
【産業上の利用可能性】
【０１０９】
本発明は、テレビジョンおよびコンピュータ用モニタなど、長期にわたって高精細、高画質の維持が求められるような表示装置などに適用可能である。
【図面の簡単な説明】
【０１１０】
【図１】実施の形態１に係るＰＤＰ１０の要部斜視展開図（一部断面図）である。
【図２】ＰＤＰ１０の駆動において、各電極に印加される電圧波形を示す波形図である。
【図３】ＰＤＰ１０における蛍光体層１２５および放電空間１３の寸法を示す模式図である。
【図４】ＰＤＰ１０における等価回路図である。
【図５】スキャン電極１１２ｂとデータ電極との間の静電容量を模式的に示す構成図である。
【図６】比較対象としてのＰＤＰにおいて、駆動が長期に及んだ場合における各放電セルの放電特性を示す特性図である。
【図７】比較対象としてのＰＤＰの電荷保持特性と、実施の形態１に係るＰＤＰ１０の電荷保持特性とを示す特性図である。
【図８】各色放電セルの静電解析を行うために用いたＰＤＰモデルを説明するための模式断面図である。
【図９】蛍光体層の厚みと静電容量との関係を示す特性図である。
【図１０】従来の放電セルにおける単位面積あたりの静電容量の取り得る相対範囲をＲ、Ｇ、Ｂごとに示した図である。
【図１１】従来の放電セルにおける最大電界強度ＥＦmaxと第１電極および第２電極の電極間電圧との関係をＲ、Ｇ、Ｂごとに示した図である。
【図１２】スキャン電極とデータ電極との間における電位分布を示す分布図である。
【図１３】スキャン電極とデータ電極との間における電界強度分布を示す分布図である。
【図１４】実施の形態２に係るＰＤＰ２０の要部断面図である。
【図１５】実施の形態３に係るＰＤＰ３０の要部斜視展開図（一部断面図）である。
【図１６】ＰＤＰ３０を備える表示装置の構成を示すブロック図である。
【図１７】実施の形態３に係る表示装置の駆動において、各電極に印加される電圧波形を示す波形図である。
【符号の説明】
【０１１１】
１０、２０、３０．プラズマディスプレイパネル
１１、３１．前面パネル
１２、２２、３２．背面パネル
１３．放電空間
４０．駆動部
１１２．表示電極対
１１２ｂ．スキャン電極
１２２．データ電極
１２５Ｒ、２２５Ｒ．赤色蛍光体層
１２５Ｇ、２２５Ｇ．緑色蛍光体層
１２５Ｂ、２２５Ｂ．青色蛍光体層
２２６．第２誘電体層
【図１】
2006114367.tif 000016
【図２】
2006114367.tif 000017
【図３】
2006114367.tif 000018
【図４】
2006114367.tif 000019
【図５】
2006114367.tif 000020
【図６】
2006114367.tif 000021
【図７】
2006114367.tif 000022
【図８】
2006114367.tif 000023
【図９】
2006114367.tif 000024
【図１０】
2006114367.tif 000025
【図１１】
2006114367.tif 000026
【図１２】
2006114367.tif 000027
【図１３】
2006114367.tif 000028
【図１４】
2006114367.tif 000029
【図１５】
2006114367.tif 000030
【図１６】
2006114367.tif 000031
【図１７】
2006114367.tif 000032